(57)【要約】【課題】設備が極めて簡略化され、コスト面、メンテナンス性において優れ、溶融金属めっき鋼板両端部にバリ、亜鉛玉などの発生がなく、目付量の制御を確実に行うことができるようにした。【解決手段】対向するワイピングノズル間を移動する溶融金属めっき鋼板の幅方向端面に対向して離間設置した一対のエッジプレートと、前記各エッジプレートの溶融金属めっき鋼板側の端部とほぼ直交して配設した所要幅を有する帯状板とを備えてなるエッジオバーコート防止装置において、前記各エッジプレートに、ワイピングノズルから噴き出すワイピングエアーの流れを受け、前記エッジプレートを溶融金属めっき鋼板側へ推進するための推進フィンを設けるとともに、前記各エッジプレートを前記ワイピングノズル上に、所要のガイド部材を介して溶融金属めっき鋼板の板面に沿う方向に移動可能に設置し、さらに前記各エッジプレートの下部に吊設したガイド部材を溶融金属めっき浴槽中にて前記溶融金属めっき鋼板の両端部に当接したことを特徴とする。【選択図】図１
2006336102.tif 000002
【特許請求の範囲】
【請求項１】
対向するワイピングノズル間を移動する溶融金属めっき鋼板の幅方向端面に対向して離間設置した一対のエッジプレートと、前記各エッジプレートの溶融金属めっき鋼板側の端部とほぼ直交して配設した所要幅を有する帯状板とを備えてなるエッジオバーコート防止装置において、前記各エッジプレートに、ワイピングノズルから噴き出すワイピングエアーの流れを受け、前記エッジプレートを溶融金属めっき鋼板側へ推進するための推進フインを設けるとともに、前記各エッジプレートを前記ワイピングノズル上に、所要のガイド部材を介して溶融金属めっき鋼板の板面に沿う方向に移動可能に設置し、さらに前記各エッジプレートの下部に吊設したガイド部材を溶融金属めっき浴槽中にて前記溶融金属めっき鋼板の両端部に当接したことを特徴とする溶融金属めっきのエッジオーバーコート防止装置。
【請求項２】
請求項１記載の溶融金属めっきのエッジオーバーコート防止装置において、エッジプレートにおける帯状板の幅を、ワイピングノズルの幅以上とするとともに、前記帯状板にワイピングノズルの先端部が近接可能の切欠部を設けたことを特徴とする溶融金属めっきのエッジオーバーコート防止装置。
【発明の詳細な説明】
【技術分野】
【０００１】  本発明は、溶融金属めっき鋼板に向ってワイピングエアーを吹き付けることによって目付量を制御する際における溶融金属めっきのエッジオーバーコートの防止装置に関するものである。
【背景技術】
【０００２】  従来、すでに、よく知られているように、溶融金属めっきの目付量は、めっき浴槽を通過して上方に引き上げられる溶融金属めっき鋼板の表裏両面に向って対向して設けたワイピングノズルからワイピングエアーを吹き付けることによって目付量を制御している。
ところが、上記技術手段によるときは、対向する両ワイピングノズルから噴き出すワイピングエアーが溶融金属めっき鋼板の両端部において互いに衝突し合いワイピングエアーの乱流を生じ、過剰に溶融金属が溶融金属めっき鋼板の両端部に付着していわゆるエッジオーバーコート現象を発生したり、また、前記ワイピングノズルから噴き出すワイピングエアーが、溶融金属めっき鋼板の両端部の溶融金属を吹き飛ばすいわゆるスプラッシュ現象を起すなどして、正確なめっき量の制御を行うことができないという問題点があった。【０００３】  そのため、従来は、かかる問題点を解決することを目的として、溶融金属めっき鋼板の両端部（ワイピングライン；ワイピングエアー吹き付け位置）に上記ワイピングエアーの乱流およびスプラッシュ現象を抑えることができるエッジプレート（邪魔板または整流板）を設けて、溶融金属めっき鋼板両端部におけるエッジオーバーコートを防止していたものである。【０００４】  即ち、上記従来のエッジプレートによる溶融金属のエッジオーバーコート防止手段は、溶融金属めっき鋼板の両端部との間に、常に一定の間隔を自動的に保持し得るエッジプレートを設けることにより、前記溶融金属めっき鋼板の両端部におけるワイピングエアーの乱流およびスブラッシュ現象を抑え、溶融金属めっき鋼板の両端部におけるエッジオーバーコートを防止するようにしたものであるが、このようなエッジオーバーコート防止装置としては、従来から例えば、特開昭５０−９１５３５号公報、特開昭６３−１０５９５５号公報、特開平７−１７３５９６号公報、特開平１０−３６９５３号公報、特公表平２−５０２１６９号公報などが公知である。
【特許文献】特開昭５０−９１５３５号公報
【特許文献】特開昭６３−１０５９５５号公報
【特許文献】特開平７−１７３５９６号公報
【特許文献】特開平１０−３６９５３号公報
【特許文献】特公表平２−５０２１６９号公報
【発明の開示】
【発明が解決しようとする課題】
【０００５】  ところが、上記従来技術におけるエッジオーバーコートの防止手段は、いずれも、エッジプレートと一体に設けた台車あるいはガイドロールを、バネ荷重またはウエイト荷重などによる強制荷重によって溶融金属めっき鋼板の両端部に常時当接せしめることによって、エッジプレートと溶融金属めっき鋼板の両端部との間隔を常に一定に保つようにしていたものであるから、以下に示すような種々の問題点があった。【０００６】  即ち、
▲１▼常時ガイドロールを溶融金属めっき鋼板両端部に当接させるための例えば、専用のレール、台車、バネ、ウエイト、ロープ、その他多くの部品を必要とし、設備が複雑かつ大掛りとなる。
▲２▼ガイドロールと溶融金属めっき鋼板両端部との接点がワイピングノズルより上部にあるため、溶融金属めっき鋼板両端部にバリ、亜鉛玉などが発生する恐れがあり、またそれによってエッジプレートの機能が阻害される恐れがある。
▲３▼エッジプレートの形状はワイピングノズル幅を超えない幅の直線形状であるためワイピングエアーの乱流を充分に抑制できない。
などの問題点があった。
【課題を解決するための手段】
【０００７】  本発明の溶融金属めっきのエッジオーバーコート防止装置は、上記課題を解決することを目的とし、対向するワイピングノズル間を移動する溶融金属めっき鋼板の幅方向端面に対向して離間設置した一対のエッジプレートと、前記各エッジプレートの溶融金属めっき鋼板側の端部とほぼ直交して配設した所要幅を有する帯状板とを備えてなるエッジオバーコート防止装置において、前記各エッジプレートに、ワイピングノズルから噴き出すワイピングエアーの流れを受け、前記エッジプレートを溶融金属めっき鋼板側へ推進するための推進フインを設けるとともに、前記各エッジプレートを前記ワイピングノズル上に、所要のガイド部材を介して溶融金属めっき鋼板の板面に沿う方向に移動可能に設置し、さらに前記各エッジプレートの下部に吊設したガイド部材を溶融金属めっき浴槽中にて前記溶融金属めっき鋼板の両端部に当接したことを特徴とする。【０００８】  また、本発明の溶融金属めつきのエッジオーバーコート防止装置は、請求項１記載の溶融金属めっきのエッジオーバーコート防止装置において、エッジプレートにおける帯状板の幅を、ワイピングノズルの幅以上とするとともに、前記帯状板にワイピングノズルの先端部が近接可能の切欠部を設けたことを特徴とする。
【発明の効果】
【０００９】  本発明の請求項１記載に係る溶融金属めっきのエッジオーバーコート防止装置は、対向するワイピングノズル間を移動する溶融金属めっき鋼板の幅方向端面に対向して離間設置した一対のエッジプレートと、前記各エッジプレートの溶融金属めっき鋼板側の端部とほぼ直交して配設した所要幅を有する帯状板とを備えてなるエッジオバーコート防止装置において、前記各エッジプレートに、ワイピングノズルから噴き出すワイピングエアーの流れを受け、前記エッジプレートを溶融金属めっき鋼板側へ推進するための推進フインを設けるとともに、前記各エッジプレートを前記ワイピングノズル上に、所要のガイド部材を介して溶融金属めっき鋼板の板面に沿う方向に移動可能に設置し、さらに前記各エッジプレートの下部に吊設したガイド部材を溶融金属めっき浴槽中にて前記溶融金属めっき鋼板の両端部に当接したことを特徴とするものであるから、エッジプレートを常に溶融金属めっき鋼板の両端部側へ近づけるための専用のレール、台車、バネ、ウエイト、ロープその他多くの部品を必要とせず、設備が極めて簡略化され、コスト面、メンテナス性において、著しく、優れた効果がある。【００１０】  また、本発明においては、エッジプレートの下部に吊設したガイド部材を溶融金属めっき浴槽中にて、溶融金属めっき鋼板の両端部に当接するようにしたので、浴槽外においてめっき鋼板の両端に当接するようにした従来技術のように、溶融金属めっき鋼板の両端部にバリ、亜鉛玉などが発生するなどの恐れがなく、またそれによるエッジプレートの機能の低下を防止することができる効果がある。【００１１】  また、本発明の請求項２記載に係る溶融金属めっきのエッジオーバーコート防止装置は、エッジプレートにおける帯状板の幅を、ワイピングノズルの幅以上とするとともに、前記帯状板にワンピングノズルの先端部が近接可能の切欠部を設けたことを特徴とするものであるから、ワイピングノズルから噴き出すワイピングエアーの乱流を、より広範囲に抑制することができ、その結果、目付量の制御をより確実に行うことができるとともに溶融金属めっき鋼板が幅方向のいかなる反りを有していても、常に一定のエッジオーバーコート防止効果が得られる。
【発明を実施するための最良の形態】
【００１２】  本発明は、溶融金属めっきのエッジオーバーコート防止装置において、バネ荷重あるいはウエイト荷重などの強制荷重によることなく、ワイピングノズルから噴き出すワイピングエアーの流れを利用して推進フインによりエッジプレートを常に溶融金属めっき鋼板の両端部側へ推進させ、溶融金属めっきのエッジオーバーコートを防止するようにした構造簡単にして、かつ正確な日付量の制御を行うことができる溶融金属めっきのエッジオーバーコート防止装置を提供する。
【実施例】
【００１３】  以下、図面を参照して本発明に係る溶融金属めっきのエッジオーバーコート防止装置の実施の形態を詳細に説明する。
図１乃至図９は、本発明の請求項１乃至請求項２に記載された発明の一実施例を説明するためのものであって、図１は、本発明の使用状態の一例を示す正面図である。図２は、同使用状態の一例を示す側面図である。図３は、同使用状態の一例を示す一部切欠拡大斜視図である。図４は、溶融金属めっき鋼板、エッジプレートの側の端部とほぼ直交して配設した所要幅を有する帯状板とを備えてなるエッジプレート、ワイピングノズルとの位置関係の一例を示す説明用平面図である。図５は、切欠部のない帯状板を有するエッジプレートをワイピングノズルに取付けた状態の一例を示す側面図である。図６は、同切欠部を設けた帯状板を有するエッジプレートをワイピングノズルに取付けた状態の一例を示す側面図である。図７〜９は、形状の異るエッジプレートの各使用例を示す説明図である。【００１４】  図１乃至図９において、１はエッジプレートであって、前記エッジプレート１の表裏両面には図３に示すようにワイピングノズルＡから噴き出すワイピングエアーの流れを受けて、前記エッジプレート１を溶融金属めっき鋼板Ｂの両端部側へ推進する推進フイン２、２が設けられている。３は前記エッジプレート１の頂板４に取り付けられた、例えばローラーのようなガイド部材であって、図２示のように前記ワイピングノズルＡ上に、溶融金属めっき鋼板Ｂの板面に沿う方向に移動可能に設置されている。なお、前記ガイド部材３は、ローラーに限定されることなく、エッジプレート１を溶融金属めっき鋼板Ｂの板面に沿う方向に移動可能のものであれば如何なるものでもよい。５は前記ガイド部材３の上下移動を可能とした螺子杆であるが、この場合も前記ガイド部材３を上下移動できるものであれば螺子杆５に限定されることなく如何なるものでもよいこと勿論のことである。【００１５】  図１〜３において、６はエッジプレート１に設けた帯状板であって、ワイピングエアーの乱流およびスプラッシュ現象などを防止するためのものであり、また、推進フイン２の形態は図７〜９示のように種々のものがある。なお、図６において、６ａは前記帯状板６に設けたワイピングノズルＡの先端部が近接可能の切欠部である。７は前記エッジプレート１の下部に吊設したガイド部材であって、溶融金属めっき浴槽８中にて常時、前記溶融金属めっき鋼板Ｂの両端部に当接するように設けられている。なお、前記ガイド部材７はローラーのような回転体でもよく、図示のものに限定されるものではない。また、前記ガイド部材７は図３示のように螺子杆９により上下方向に移動可能に設けられているが、この場合も前記ガイド部材７を上下方向に移動できるものであれば如何なるものでもよい。なお、図７〜９において小矢印は、ワイピングエアーの流れ方向を示し、大矢印はエッジプレート１の推進力方向を示すものである。【００１６】  以上のような構成からなる本発明においては、図１〜３の状態においてワイピングノズルＡから噴き出されたワイピングエアーをエッジプレート１の推進フイン２、２が受け、前記エッジプレート１を溶融金属めっき鋼板Ｂの両端部側に推進して、常時前記エッジプレート１と前記溶融金属めっき鋼板両端部との間隔を一定に保持し、前記エッジプレート１に設けた帯状板６により、ワイピングノズルから噴き出されるワイピングエアーの乱流及びスプラッシュ現象を防止し、溶融金属めっき鋼板両端部における正確な目付量の制御を行い、溶融金属めっきのエッジオーバーコートを防止し得るものである。
【産業上の利用可能性】
【００１７】  なお、本実施例では溶融金属めっきのエッジオーバーコートの防止装置について説明したが、これに限らず他の「溶融金属めっきのエッジオーバーコートの防止装置」に適用できること勿論である。
【図面の簡単な説明】
【００１８】
【図１】  本発明に係る溶融金属めっきのエッジオーバーコート防止装置の使用状態の一例を示す正面図である。
【図２】  同側面図である。
【図３】  同一部切欠拡大斜視図である。
【図４】  本発明における溶融金属めっき鋼板、エッジプレート、帯状板、ワイピングノズルの位置関係の一例を示す説明用平面図である。
【図５】  本発明における切欠部のない帯状板を有するエッジプレートをワイピングノズルに取付けた状態の一例を示す側面図である。
【図６】  本発明における切欠部を設けた帯状板を有するエッジプレートをワイピングノズルに取付けた状態の一例を示す側面図である。
【図７】  本発明における形状の異なるエッジプレートの使用例を示す説明図である。
【図８】  本発明における形状の異なるエッジプレートの他の使用例を示す説明図である。
【図９】  本発明における形状の異なるエッジプレートの他の使用例を示す説明図である。
【符号の説明】
【００１９】１    エッジプレート
２    推進フイン
３    ガイド部材
４    頂板
５    螺子杆
６    帯状板
６ａ  切欠部
７    ガイド部材
８    溶融金属めっき浴槽
９    螺子杆
Ａ    ワイピングノズル
Ｂ    溶融金属めっき鋼板
【図１】
2006336102.tif 000003
【図２】
2006336102.tif 000004
【図３】
2006336102.tif 000005
【図４】
2006336102.tif 000006
【図５】
2006336102.tif 000007
【図６】
2006336102.tif 000008
【図７】
2006336102.tif 000009
【図８】
2006336102.tif 000010
【図９】
2006336102.tif 000011